(57)【要約】      （修正有）【課題】照明装置全体として蛍光灯の配光角に近い配光角を有する照明装置を提供する。【解決手段】２つの取り付け面５ａ，５ｂを対とする複数の取り付け面が形成された取り付け板５と、これら取り付け面５ａ，５ｂの長手方向に所定の間隔を置いて配列された複数のＬＥＤ素子７とを設け、２つの取り付け面５ａ，５ｂを所定の角度θをもって形成し、これら２つの取り付け面５ａ，５ｂにより取り付け板５の一部の断面形状を山形に形成した。【選択図】図３
0003186175.tif 000002
【実用新案登録請求の範囲】
【請求項１】
２つの取り付け面を対とする複数の取り付け面が形成された取り付け板と、
これら取り付け面の長手方向に所定の間隔を置いて配列された複数のＬＥＤ素子とを備え、
前記２つの取り付け面は所定の角度をもって形成され、これら２つの取り付け面により前記取り付け板はその一部の断面形状が山形に形成されていることを特徴とする照明装置。
【請求項２】
前記角度は、前記ＬＥＤ素子の配光角の略半分であることを特徴とする請求項１記載の照明装置。
【考案の詳細な説明】
【技術分野】
【０００１】
本考案は、複数のＬＥＤ素子からなる照明装置に関する。
【背景技術】
【０００２】
ＬＥＤ素子、特に、いわゆる白色ＬＥＤ素子（例えば非特許文献１参照）は、近年、光度、配光角及び耐久年数の改善が著しい。このような改善によって、複数のＬＥＤ素子を並べることで、蛍光灯を用いた照明装置を置き換えることの可能な照明装置が実現されつつある。
【先行技術文献】
【非特許文献】
【０００３】
【非特許文献１】発光ダイオード(LED)｜日亜化学工業株式会社［平成25年7月8日検索］：インターネット<URL: http://www.nichia.co.jp/jp/product/led.html?op=cond=grp5='183A'>
【考案の概要】
【考案が解決しようとする課題】
【０００４】
しかしながら、上述した従来の白色ＬＥＤ素子は、光度や耐久年数の改善はあるものの、配光角については蛍光灯を全く置換するまでには至っていなかった。すなわち、蛍光灯の配光角は２００度を超えているが、上述の非特許文献１に示すＬＥＤ素子の配光角は１２０度程度である。従って、ＬＥＤ素子を複数配置してなる照明装置においては、照明装置全体の配光角を、蛍光灯を用いた照明装置の配光角にできるだけ近付けることが課題であった。
【０００５】
本考案は上述した課題に鑑みてなされたもので、照明装置全体として蛍光灯の配光角に近い配光角を有する照明装置の実現をその目的の一つとしている。
【課題を解決するための手段】
【０００６】
本考案の照明装置は、２つの取り付け面を対とする複数の取り付け面が形成された取り付け板と、これら取り付け面の長手方向に所定の間隔を置いて配列された複数のＬＥＤ素子とを備え、２つの取り付け面を所定の角度をもって形成し、これら２つの取り付け面により取り付け板の一部の断面形状を山形に形成することで、上述の課題の少なくとも一つを解決している。
【０００７】
ここで、２つの取り付け面の角度は、ＬＥＤ素子の配光角の略半分であることが好ましい。
【考案の効果】
【０００８】
本考案によれば、照明装置全体として蛍光灯の配光角に近い配光角を有する照明装置を実現することができる。
【図面の簡単な説明】
【０００９】
【図１】本考案の一実施形態である照明装置を示す図であって、グローブを取り外した状態を示す斜視図である。
【図２】一実施形態の照明装置の一部破断正面図である。
【図３】一実施形態の照明装置のＬＥＤ素子、ＬＥＤ基板及び取り付け板を示す側面図である。
【図４】一実施形態の照明装置のＬＥＤ基板を示す正面図である。
【図５】一般的な照明装置の配光角を示す概念図である。
【図６】一実施形態の照明装置の配光角を示す概念図である。
【図７】一実施形態の照明装置及び蛍光灯を用いた照明装置の配光曲線を示す図である。
【考案を実施するための形態】
【００１０】
以下、図面を参照して、本考案の実施形態について説明する。
図１は、本考案の一実施形態である照明装置を示す図であって、グローブを取り外した状態を示す斜視図であり、図２は一実施形態の照明装置Ｌの一部破断正面図である。これらの図において、１は略直方体状に形成された灯体、２はこの灯体１の上面に取り付けられたグローブである。グローブ２の周囲にはグローブ枠３が設けられ、このグローブ枠３が灯体１に図略のボルト、ナット等で固定されることで、グローブ２が灯体１に取り付けられている。
【００１１】
グローブ２で囲まれる灯体１の上部には、取り付け板５が、これも図略のボルト、ナット等で固定されることで、灯体１に取り付けられている。取り付け板５は、図３にその側面図を示すように、その一部が折り曲げられて形成されることで、第１の取り付け面５ａ及び第２の取り付け面５ｂが、所定の角度θをなすように形成されている。そして、これら第１の取り付け面５ａ及び第２の取り付け面５ｂにより、取り付け板５の一部は側面から見て山形に形成されている。本実施形態では、第１の取り付け面５ａ及び第２の取り付け面５ｂのなす角度θは約６０度である。
【００１２】
本実施形態の照明装置Ｌでは、第１の取り付け面５ａ及び第２の取り付け面５ｂは２対形成されている。本実施形態の照明装置Ｌは、いわゆる２灯蛍光管を有する照明装置の置き換え用であり、第１の取り付け面５ａ及び第２の取り付け面５ｂからなる一対の取り付け面５ａ、５ｂ、及びこれら取り付け面５ａ、５ｂに設けられた後述するＬＥＤ基板６、ＬＥＤ素子７が全体として１本の蛍光管に相当する。
【００１３】
取り付け板５の第１の取り付け面５ａ及び第２の取り付け面５ｂには、図２及び図３に示すように、上方から見て細長の長方形状に形成されたＬＥＤ基板６が、これも図略のボルト、ナット等で固定されることで取り付けられている。ＬＥＤ基板６には、図３に詳細を示すように、ＬＥＤ素子７が所定の間隔（ピッチ）を置いて複数取り付けられている。このＬＥＤ素子７は、好ましくは面発光型のＬＥＤ素子であり、さらに好ましくは、いわゆる白色ＬＥＤ素子である。面発光型のＬＥＤ素子７は、砲弾型のＬＥＤ素子に比較してその配光角が広いという特徴がある。また、白色ＬＥＤ素子は、蛍光管の発光スペクトルに比較的近い発光スペクトルを有するものが多く、蛍光灯式照明装置の置換用途としての本実施形態の照明装置に好適に用いられる。本実施形態では、特に図２によく示されるように、対となる第１及び第２の取り付け面５ａ、５ｂにおいて、ＬＥＤ素子７が同一のピッチを置いて、かつ、取り付け板５の幅方向に同一位置になるように、ＬＥＤ基板６及びＬＥＤ素子７が配置されている。
【００１４】
なお、図１〜図３において、電源基板や端子盤などについては図示を省略している。
【００１５】
次に、図５及び図６を参照して、本実施形態の照明装置Ｌの作用及び効果について説明する。図５にその概略を示す、本実施形態のＬＥＤ基板６を灯体１の上面に１枚だけ取り付けた、一般的な照明装置の場合、照明装置全体の配光角は、ＬＥＤ素子７が有する配光角と同等であり、一例として１２０度程度である。一方、図６にその概略を示す、本実施形態の照明装置Ｌの場合、第１の取り付け面５ａ及び第２の取り付け面５ｂが所定の角度θをなしているので、第１及び第２の取り付け面５ａ、５ｂにそれぞれ取り付けられたＬＥＤ基板６上のＬＥＤ素子７からの光は、この所定の角度θをもって図中左右に広がる。従って、所定の角度θが略６０度である場合、本実施形態の照明装置Ｌの配光角は２４０度程度になる。
【００１６】
ここで、第１の取り付け面５ａ及び第２の取り付け面５ｂのなす角度θは、ＬＥＤ素子７の配光角の略半分であることが好ましい。このような条件により角度θを定めると、第１の取り付け面５ａに配置されたＬＥＤ素子７の配光曲線と第２の取り付け面５ｂに配置されたＬＥＤ素子７の配光曲線とが、照明装置Ｌの正面（図５において真下）でほぼ重なる。これにより、照明装置Ｌの正面において、第１の取り付け面５ａに配置されたＬＥＤ素子７からの光と、第２の取り付け面５ｂに配置されたＬＥＤ素子７からの光がほぼ切れ目なくつながり、照明装置Ｌ全体としてむらがない配光曲線を得ることができる。
【００１７】
一方、第１の取り付け面５ａ及び第２の取り付け面５ｂのなす角度θを、ＬＥＤ素子７の配光角の略半分を超える角度にすると、照明装置Ｌ全体の配光角がより広がるものの、照明装置Ｌの正面において照度の低下をもたらす可能性が生じる。他方、第１の取り付け面５ａ及び第２の取り付け面５ｂのなす角度θを、ＬＥＤ素子７の配光角の略半分より小さくすると、照明装置Ｌ全体の配光角は狭まるものの、照明装置Ｌ全体としてむらがない配光曲線を得ることができる。配光角をできるだけ広くするという条件と、むらがない配光曲線を得るという条件との双方を満足する、第１の取り付け面５ａ及び第２の取り付け面５ｂのなす角度θは、ＬＥＤ素子７の配光角の略半分である。
【００１８】
従って、本実施形態の照明装置Ｌによれば、蛍光灯を用いた従来の照明装置に近い配光角を有する照明装置を実現することが可能となる。加えて、取り付け面５ａ、５ｂを複数設けても、照明装置Ｌ全体としてむらがない配光曲線を得ることができる。これにより、ＬＥＤ素子７を用いた、蛍光灯式照明装置の置換用途としての照明装置Ｌを実現することができる。
【００１９】
図７は、本実施形態の照明装置Ｌ及び一般的な蛍光灯式照明装置の配光曲線を示す図である。図７に示すように、本実施形態の照明装置Ｌの配光曲線１０は、正面から１２０度までの角度全般において、一般的な蛍光灯式照明装置の配光曲線１１とほぼ同等の特性を示していることがわかる。
【００２０】
なお、本考案の照明装置は、その細部が上述の一実施形態に限定されず、種々の変形例が可能である。一例として、一実施形態では第１の取り付け面５ａ及び第２の取り付け面５ｂは２対設けられていたが、何対設けるかについては種々選択が可能である。
【符号の説明】
【００２１】
Ｌ    照明装置
１    灯体
２    グローブ
３    グローブ枠
５    取り付け板
５ａ  第１の取り付け面
５ｂ  第２の取り付け面
６    ＬＥＤ基板
７    ＬＥＤ素子
【図１】
0003186175.tif 000003
【図２】
0003186175.tif 000004
【図３】
0003186175.tif 000005
【図４】
0003186175.tif 000006
【図５】
0003186175.tif 000007
【図６】
0003186175.tif 000008
【図７】
0003186175.tif 000009